(57)【要約】【課題】軒天井の排水管の直径が異なる場合でも、一種類の軒天井用ソケットで兼用して接続可能とする軒天井用ソケットの構造を提供する。【解決手段】軒天井用ソケット１は略円筒形状で、軒天井用ソケット１の頂部１ｂに軒天井３５の排水管３６を挿入する第一挿入部１ｃと、軒天井用ソケットの中央部に第一挿入部１ｃより小径で他の排水管を挿入する第二挿入部１ｄを備え、第一挿入部１ｃと第二挿入部１ｄは連続的に縮径する傾斜部１ｅで連結される。頂部１ｂの第一挿入部１ｃが軒天井３５の排水管３６に挿入されて接着材で固着される。軒天井用ソケット１の底部に落し口２が開口され、この落し口２に角形継手部材３の取付用の落し口回転カバー４を備える。第二挿入部１ｄを用いて排水管３６を挿入する場合は、排水管３６は第二挿入部１ｄに挿入できる位置まで延設される。【選択図】図１
2009074348.tif 000002
【特許請求の範囲】
【請求項１】
軒天井用ソケットの底部に開口する落し口に継手部材を取付け軒天井の排水管に固着される軒天井用ソケットの構造であって、
前記軒天井用ソケットの頂部に前記軒天井の排水管を挿入する第一挿入部と、前記軒天井用ソケットの中央部に第一挿入部より小径で他の排水管を挿入する第二挿入部を備えることを特徴とする軒天井用ソケットの構造。
【請求項２】
請求項1に記載の軒天井用ソケットの構造であって、前記継手部材は落し口回転カバーを介して前記落し口に取付けられ、前記落し口回転カバーは、内側円筒部とこの内側円筒部の外側に前記継手部材と相似断面形状をもつ外側筒部とがそれぞれ上部を連結バーで連結されて成る二重筒構造で、前記外側筒部の内周面にリング部材が立設され、このリング部材の内周端部は前記内側円筒部に沿って円環状の挿入隙間を形成するとともに前記リング部材の上面を抉って前記継手部材用の引掛凹部が形成され、前記継手部材の上端部に係止フックが突設され、前記継手部材の上端部を前記落し口回転カバーの下面に押付ける位置で前記係止フックが前記挿入隙間に挿入して前記引掛凹部と係合することを特徴とする軒天井用ソケットの構造。
【請求項３】
請求項1又は請求項２に記載の軒天井用ソケットの構造であって、前記軒天井用ソケットは略円筒形状に形成されることを特徴とする軒天井用ソケットの構造。
【請求項４】
請求項１乃至請求項３のいずれか一項に記載の軒天井用ソケットの構造であって、前記第一挿入部と前記第二挿入部は連続的に縮径する傾斜部で連結されることを特徴とする軒天井用ソケットの構造。
【発明の詳細な説明】
【技術分野】
【０００１】
本発明は、軒天井の排水管に固着される軒天井用ソケットの構造に関し、特に、軒天井の排水管の直径が異なる場合でも、一種類の軒天井用ソケットで兼用して接続可能とする軒天井用ソケットの構造の技術に関する。
【背景技術】
【０００２】
従来、軒天井の雨水を軒天井の排水管に軒天井用ソケットを接続して排水する場合に、直径の異なる排水管に対応するため複数の軒天井用ソケットを用意する必要があったので在庫が増えるという問題があった。このため、直径の異なる排水管との連結が自在にできるような飾り桝を用いる構成が知られている。
【０００３】
特許文献１によれば、図６、図７に示すように、飾り桝４１は硬質塩化ビニール樹脂製の角筒状で上方に開口部が設けられ、上部縁の段部５１に設けられる二箇所のボス５２に取付孔５３が設けられる。飾り桝４１の下部には排水筒５４が取付けられる。
【０００４】
飾り桝４１の上部には合成ゴム製矩形状の蓋体４２が設けられ、蓋体４２の周囲にフランジ６１が立設され一対のフランジ６１の中央部に取付ネジ４６用の半弧状切欠６２が設けられる。蓋体４２の排水管４５が接続される箇所には刃物等を用いて放射状の切り目６３を形成する。
【０００５】
蓋体４２を段部５１に嵌入して排水管４５を切り目６３の中心に挿入し、取付ネジ４６を用いて飾り桝４１を軒天井４７に取付け、排水筒５４に竪樋４８が接続される。このため、排水管４５の位置や直径が異なる場合でも切り目６３の位置と大きさを調整することにより対応することができる。
【特許文献１】特開平７−１１３３０３号公報
【発明の開示】
【発明が解決しようとする課題】
【０００６】
ところが、上記、特許文献１の構成では、飾り桝４１が角筒状なので外幅Ｓが出っ張る。このため、特に、排水管４５の直径Ｓ１が竪樋４８の直径Ｓ２より大きい場合に飾り桝４１が嵩張ることで外観形状が悪くなり品質性に劣るという問題があった。
【０００７】
そこで、本発明はかかる従来技術の問題に鑑みなされたものであって、軒天井の排水管の直径が異なる場合でも嵩張らない軒天井用ソケットの構造を提供することを目的とする。
【課題を解決するための手段】
【０００８】
請求項１記載の発明は、軒天井用ソケットの底部に開口する落し口に継手部材を取付け軒天井の排水管に固着される軒天井用ソケットの構造であって、前記軒天井用ソケットの頂部に前記軒天井の排水管を挿入する第一挿入部と、前記軒天井用ソケットの中央部に第一挿入部より小径で他の排水管を挿入する第二挿入部を備えることを特徴としている。
【０００９】
請求項２記載の発明は、前記継手部材は落し口回転カバーを介して前記落し口に取付けられ、前記落し口回転カバーは、内側円筒部とこの内側円筒部の外側に前記継手部材と相似断面形状をもつ外側筒部とがそれぞれ上部を連結バーで連結されて成る二重筒構造で、前記外側筒部の内周面にリング部材が立設され、このリング部材の内周端部は前記内側円筒部に沿って円環状の挿入隙間を形成するとともに前記リング部材の上面を抉って前記継手部材用の引掛凹部が形成され、前記継手部材の上端部に係止フックが突設され、前記継手部材の上端部を前記落し口回転カバーの下面に押付ける位置で前記係止フックが前記挿入隙間に挿入して前記引掛凹部と係合することを特徴としている。
【００１０】
請求項３の発明は、前記軒天井用ソケットは略円筒形状に形成されることを特徴としている。
【００１１】
請求項４の発明は、前記第一挿入部と前記第二挿入部は連続的に縮径する傾斜部で連結されることを特徴としている。
【発明の効果】
【００１２】
請求項１の発明によれば、前記軒天井用ソケットの頂部に前記軒天井の排水管を挿入する第一挿入部と、前記軒天井用ソケットの中央部に第一挿入部より小径で他の排水管を挿入する第二挿入部を備えるので、軒天井の排水管の断面の大きさが異なっていても第一挿入部或いは第二挿入部を利用して前記軒天井用ソケットを軒天井の排水管に容易に接続できる。このため、二種類の大きさの排水管に対して前記軒天井用ソケットが使用できるので前記軒天井用ソケットが嵩張らず外観に優れるので品質性が向上し在庫も減らすことができる。
【００１３】
請求項２の発明によれば、前記落し口回転カバーは、内側円筒部と外側筒部とがそれぞれ上部を連結バーで連結されて成る二重筒構造で、前記外側筒部の内周面にリング部材が立設され、このリング部材の内周端部は前記内側円筒部に沿って円環状の挿入隙間を形成するとともに前記リング部材の上面を抉って前記継手部材用の引掛凹部が形成され、前記継手部材の上端部に係止フックが突設されるので、前記継手部材の上端部と前記引掛凹部を容易且つ確実に係合することができるとともに請求項１の効果と同じ効果が得られる。
【００１４】
請求項３の発明によれば、前記軒天井用ソケットは略円筒形状に形成されるため嵩張らないので請求項1の効果と同様の効果が得られる。
【００１５】
請求項４の発明によれば、前記第一挿入部と前記第二挿入部は連続的に縮径する傾斜部で連結されるので、この傾斜部における雨水の流れが層流となり排水がスムーズにできる。
【発明を実施するための最良の形態】
【００１６】
＜軒天井用ソケットの構造の構成＞
本発明の実施形態を図１〜図５に基づいて説明する。図１、図２に示すように、軒天井用ソケット１は略円筒形状で、軒天井用ソケット１の頂部１ｂに軒天井３５の排水管３６（直径８９ｍｍ）を挿入する第一挿入部１ｃと第一挿入部１ｃを囲むフランジ１ｆを備える。軒天井用ソケットの中央部に第一挿入部１ｃより小径で他の排水管（直径６０ｍｍ）を挿入する第二挿入部１ｄを備え、第一挿入部１ｃと第二挿入部１ｄは連続的に縮径する傾斜部１ｅで連結される。
【００１７】
軒天井用ソケット１の底部には開口１ａを備える落し口２が形成され、落し口２の外周面に嵌合凹部２１が形成される。
【００１８】
軒天井用ソケット１は矢印Ｐ１に示すように頂部１ｂの第一挿入部１ｃに軒天井３５の排水管３６を挿入するとともに接着材を介して排水管３６に固着される。なお、必要に応じてフランジ１ｆを軒天井３５にビス固着すると軒天井用ソケット１をさらに強固に軒天井３５に固着することができる。
【００１９】
そして、落し口２に角形継手部材３の落し口回転カバー４を係止し、角形継手部材３の上端部３ａの外周部に突設される一対の係止フック１３を矢印Ｐに示すように落し口回転カバー４に挿入して係止する。このため、雨水Ｗは排水管３６から軒天井用ソケット１と角形継手部材３を介して図示しない竪樋にスムーズに排水される。
【００２０】
図３（ａ）、（ｂ）に示すように、落し口回転カバー４は、内側円筒部６とこの内側円筒部６の外側に角形継手部材３と相似断面形状をもつ外側角筒部５とがそれぞれ上部を連結バー９で連結されて成る二重筒構造である。外側角筒部５は四側面２２と四隅側面２３から成る八角形状であり、連結バー９は下面９ａが同一水平面となるように外側角筒部５の各隅側面２３に配置される。
【００２１】
外側角筒部５の内周面にリング部材７が立設され、このリング部材７の内周縁７ａと内側円筒部６との間に円環状の挿入隙間８が形成される。
【００２２】
外側角筒部５の対向する一対の隅側面２３に面するリング部材７には、挿入隙間８と連続する凹状のリブ挿通孔１０が形成される。この一対のリブ挿通孔１０は連結バー９の下方位置に一致して配置される。
【００２３】
リング部材７の内周縁７ａには、リング部材７の上面７ｂを抉って引掛凹部１１が外側角筒部５の四側面２２の内側中央寄りに形成され、このうちの一対の対向する引掛凹部１１に角形継手部材３の一対の係止フック１３が係止される。また、外側角筒部５の各側面２２の内面に角形継手部材３を挿入案内するガイド片３０が二組毎突設される。
【００２４】
図４（ａ）、（ｂ）、（ｃ）に示すように、軒天井用ソケット１に落し口回転カバー４を取付ける場合、落し口２に内側円筒部６を嵌め込んで落し口回転カバー４を回転させることにより、内側円筒部６に設けられた内周面の嵌合凸部２０が落し口２の外周面の嵌合凹部２１に凹凸嵌合して取付けることができる。
【００２５】
図５に示すように、角形継手部材３の上端部３ａを落し口回転カバー４の内側円筒部６の下面に押付けることで、角形継手部材３の一対の係止フック１３が挿入隙間８に挿入してリング部材７の引掛凹部１１に係止することができる。
【００２６】
ここで、上記、外側角筒部５に角形継手部材３を挿入案内するガイド片３０が外側角筒部５の各側面２２に二組突設されるので、角形継手部材３の係止フック１３を引掛凹部１１の位置まで容易且つ確実にガイドできる。
【００２７】
軒天井用ソケット１と角形継手部材３の材質は、軽量化や耐腐食性を考慮して硬質塩化ビニール樹脂等の合成樹脂、或いは耐腐食性金属としてステンレス、銅等が用いられる。また、金属性芯材の周囲に樹脂を被覆した構成でもよい。
【００２８】
＜軒天井用ソケットの構造の作用＞
軒天井用ソケット１の頂部１ｂに軒天井３５の排水管３６（直径８９ｍｍ）を挿入する第一挿入部１ｃと、軒天井用ソケット１の中央部に第一挿入部１ｃより小径で他の排水管（直径６０ｍｍ）を挿入する第二挿入部１ｄを備えるので、二種類の異なる直径の排水管に適用することができるので在庫を減らすことができる。なお、第二挿入部１ｄに排水管３６を挿入する場合は、排水管３６は第二挿入部１ｄに挿入できる位置まで延設される。また、軒天井用ソケット１が角筒状でなく略円筒形状なので嵩張らないため外観に優れて品質性が向上する。
【００２９】
第一挿入部１ｃと第二挿入部１ｄは連続的に縮径する傾斜部１ｅで連結されるので、第一挿入部１ｃを使用する場合に第一挿入部１ｃに挿入された排水管３６から第二挿入部１ｄに雨水が流れる際に層流となるので雨水の排水がスムーズにできる。
【００３０】
フランジ１ｆを軒天井３５にビス固着することなく、第一挿入部１ｃを接着材で排水管３６に固着するだけで固着強度が得られるので、作業が省力化できて作業効率が向上する。
【００３１】
なお、角形継手部材３の代わりに丸形継手部材を落し口回転カバー４へ係止することもできる。この場合、丸形継手部材をリング部材７の挿入隙間８に挿入して回転し、丸形継手部材に備える図示しない突起リブがリング部材７の上面７ｂに乗り上がることにより係止される。さらに、排水管３６の直径が第一挿入部１ｃの直径と第二挿入部１ｄの直径の中間値であっても、フランジ１ｆを軒天井３５に接着材を介してビス固着することで使用することができる。
【図面の簡単な説明】
【００３２】
【図１】本発明の実施形態における、軒天井用ソケット１が軒天井３５の排水管３６と角形継手部材３に連結された状態を示す断面図である。
【図２】本発明の実施形態における、軒天井用ソケット１と排水管３６と角形継手部材３の分解斜視図である。
【図３】本発明の実施形態における、（ａ）は図１のＡ−Ａ斜視図、（ｂ）は図１のＢ−Ｂ斜視図である。
【図４】本発明の実施形態における、（ａ）は軒天井用ソケット１の落し口２に落し口回転カバー４を取付ける前の状態を示す斜視図、（ｂ）は落し口２に落し口回転カバー４の取付け直前の状態を示す断面図、（ｃ）は落し口２に落し口回転カバー４を取付けた状態を示す断面図である。
【図５】本発明の実施形態における、落し口回転カバー４に角形継手部材３を装着した状態を示す一部断面斜視図である。
【図６】従来の飾り桝４１の状態を示す斜視図である。
【図７】図６のＣ−Ｃ断面図である。
【符号の説明】
【００３３】
１  軒天井用ソケット
２  落し口
１ｂ  頂部
１ｃ  第一挿入部
１ｄ  第二挿入部
１ｅ  傾斜部
１ｆ  フランジ
４  落し口回転カバー
３５  軒天井
３６  排水管
【図１】
2009074348.tif 000003
【図２】
2009074348.tif 000004
【図３】
2009074348.tif 000005
【図４】
2009074348.tif 000006
【図５】
2009074348.tif 000007
【図６】
2009074348.tif 000008
【図７】
2009074348.tif 000009
【手続補正書】
【提出日】平成20年9月10日(2008.9.10)
【手続補正１】
【補正対象書類名】明細書
【補正対象項目名】０００３
【補正方法】変更
【補正の内容】
【０００３】
特許文献１によれば、図６、図７に示すように、飾り桝４１は硬質塩化ビニール樹脂製の角筒状で上方に開口部が設けられ、上部縁の段部５１に設けられる二箇所のボス５２に取付孔５３が設けられる。飾り桝４１の下部には排水筒５４が一体で設けられている。
【手続補正２】
【補正対象書類名】明細書
【補正対象項目名】００１３
【補正方法】変更
【補正の内容】
【００１３】
請求項２の発明によれば、前記落し口回転カバーは、内側円筒部と外側筒部とがそれぞれ上部を連結バーで連結されて成る二重筒構造で、前記外側筒部の内周面にリング部材が立設され、このリング部材の内周端部は前記内側円筒部に沿って円環状の挿入隙間を形成するとともに前記リング部材の上面を抉って前記継手部材用の引掛凹部が形成され、前記継手部材の上端部に係止フックが突設されるので、前記継手部材の上端部と前記引掛凹部を容易且つ確実に係合することができて、ワンタッチ取付により取付作業性に優れるとともに請求項１の効果と同じ効果が得られる。
【手続補正３】
【補正対象書類名】明細書
【補正対象項目名】００１９
【補正方法】変更
【補正の内容】
【００１９】
そして、落し口２に継手部材としての角形継手部材３を取付けるための落し口回転カバー４を係止し、角形継手部材３の上端部３ａの外周部に突設される一対の係止フック１３を矢印Ｐに示すように落し口回転カバー４に挿入して係止する。このため、雨水Ｗは排水管３６から軒天井用ソケット１と角形継手部材３を介して図示しない竪樋にスムーズに排水される。なお、図２ではフック１３は代表的に１箇所のみを示して省略したが図１に示すようにフック１３は一対突設されている。
【手続補正４】
【補正対象書類名】明細書
【補正対象項目名】００２８
【補正方法】変更
【補正の内容】
【００２８】
＜軒天井用ソケットの構造の作用＞
軒天井用ソケット１の頂部１ｂに軒天井３５の排水管３６（直径８９ｍｍ）を挿入する第一挿入部１ｃと、軒天井用ソケット１の中央部に第一挿入部１ｃより小径で他の排水管（直径６０ｍｍ）を挿入する第二挿入部１ｄを備えるので、二種類の異なる直径の排水管に適用することができるので在庫を減らすことができる。なお、第二挿入部１ｄに排水管３６を挿入する場合は、排水管３６は第二挿入部１ｄに挿入できる位置まで延設される。また、軒天井用ソケット１に排水管３６が挿入されることや、軒天井用ソケット１が角筒状でなく略円筒形状なので嵩張らないため外観に優れて品質性が向上する。
【手続補正５】
【補正対象書類名】明細書
【補正対象項目名】００３２
【補正方法】変更
【補正の内容】
【００３２】
【図１】本発明の実施形態における、軒天井用ソケット１が軒天井３５の排水管３６と角形継手部材３に連結された状態を示す断面図である。
【図２】本発明の実施形態における、軒天井用ソケット１と排水管３６と角形継手部材３の分解斜視図である。
【図３】本発明の実施形態における、（ａ）は図１のＡ−Ａ線から落し口回転カバー４を見た斜視図、（ｂ）は図１のＢ−Ｂ線から落し口回転カバー４を見た斜視図である。
【図４】本発明の実施形態における、（ａ）は軒天井用ソケット１の落し口２に落し口回転カバー４を取付ける前の状態を示す斜視図、（ｂ）は落し口２に落し口回転カバー４の取付け直前の状態を示す断面図、（ｃ）は落し口２に落し口回転カバー４を取付けた状態を示す断面図である。
【図５】本発明の実施形態における、落し口回転カバー４に角形継手部材３を装着した状態を示す一部断面斜視図である。
【図６】従来の飾り桝４１の状態を示す斜視図である。
【図７】図６のＣ−Ｃ断面図である。